(57)【要約】      （修正有）【課題】人体自体が睡眠状態に応じて発生する熱、水分を利用して寝具の状態を睡眠に適するように寝具内の通風を適切に制御することが可能となるマットレス換気システムを提供する。【解決手段】マットレス内に生じさせる風により前記マットレスの状態を制御するマットレス換気システムであって、前記マットレスの使用者の睡眠深度の情報を取得する睡眠情報取得部と、前記マットレス内の風量を制御する風量制御部とを設け、前記風量制御部は、前記睡眠深度が深くなる期間において、当該睡眠深度が浅くなる期間に比して前記風量を多くするマットレス換気システムとする。【選択図】図７
2019118627.tif 000002
【特許請求の範囲】
【請求項１】
マットレス内に生じさせる風により前記マットレスの状態を制御するマットレス換気システムであって、
前記マットレスの使用者の睡眠深度の情報を取得する睡眠情報取得部と、
前記マットレス内の風量を制御する風量制御部とを設け、
前記風量制御部は、
前記睡眠深度が深くなる期間において、当該睡眠深度が浅くなる期間に比して前記風量を多くすることを特徴とするマットレス換気システム。
【請求項２】
前記使用者の周辺の湿度を反映する前記マットレスの少なくとも湿度情報を取得するマットレス情報取得部を設け、
前記風量制御部は、
少なくとも前記湿度情報に基づいて、前記風量を制御することを特徴とする請求項１に記載のマットレス換気システム。
【請求項３】
前記マットレス情報取得部は、前記マットレスの温度情報をも取得し、
前記風量制御部は、
前記湿度情報および前記温度情報に基づいて、前記風量を制御することを特徴とする請求項２に記載のマットレス換気システム。
【請求項４】
前記マットレス情報取得部は、
前記使用者の体表面に近接する前記マットレス上面部付近に設けたセンサーを用いて、前記湿度情報および前記温度情報の少なくとも一方を取得することを特徴とする請求項３に記載のマットレス換気システム。
【請求項５】
前記風量制御部は、前記温度情報および前記湿度情報をパラメータとする算出式を用いた算出結果に基づいて前記風量を制御するものであって、
前記算出式は、
前記温度が高いほど前記風量が多くなり、かつ、前記湿度が高いほど前記風量が多くなるように設定されており、
前記睡眠深度が既定の条件を満たしたときに更新されることを特徴とする請求項３または請求項４に記載のマットレス換気システム。
【請求項６】
前記風量制御部は、
前記睡眠深度の各ピーク時の近傍のタイミングそれぞれを認識し、
前記タイミングそれぞれが到来する度に、前記算出式を更新することを特徴とする請求項５に記載のマットレス換気システム。
【請求項７】
前記睡眠情報取得部は、
前記使用者の体動を検知する体動検知センサを含み、該体動検知センサの検知結果に基づいて前記睡眠深度の情報を取得することを特徴とする請求項１から請求項６の何れかに記載のマットレス換気システム。
【請求項８】
前記マットレス内に風を生じさせる風生成部を備え、
前記風生成部は、
略身長方向へ伸びるとともに複数の通風孔を有する導風管を含み、該導風管内への空気の送出または該導風管内からの空気の吸引によって前記風を生じさせるものであり、
前記通風孔は、前記脚部対応部よりも前記胴部対応部の方が前記風量が多くなるように形成されたことを特徴とする請求項３から請求項６の何れかに記載のマットレス換気システム。
【請求項９】
前記通風孔は、
前記導風管の伸びる方向に沿って並ぶように配置されており、
前記脚部対応部に対応する部分よりも前記胴部対応部に対応する部分の方が、間隔が狭くなるように配置されたことを特徴とする請求項８に記載のマットレス換気システム。
【請求項１０】
前記マットレス情報取得部は、
複数の温湿度センサを含み、該複数の温湿度センサそれぞれによって検知される温度および湿度のうち最も高い温度および湿度の情報を、前記風量の制御に用いられる情報として取得することを特徴とする請求項３から請求項６の何れかに記載のマットレス換気システム。
【請求項１１】
前記風生成部における風を生じさせる動作が、断続的に行われることを特徴とする請求項８または請求項９に記載のマットレス換気システム。
【請求項１２】
前記マットレス情報取得部は、前記風を生じさせる動作が停止した時の前記温度情報および前記湿度情報を取得することを特徴とする請求項１１に記載のマットレス換気システム。
【請求項１３】
前記マットレスを有する請求項１から請求項１２の何れかに記載のマットレス換気システムであって、
前記マットレスは、通風性を有するクッション材と、該クッション材の少なくとも上面に設けられるクッション材カバーを含み、
該クッション材カバーは、ＪＩＳ Ｌ １０９６−１９９９ ８.２７．１ Ａ法に準じた通気性測定方法により測定される通気度が１０cm3／cm2・ｓ以上であって２００cm3／cm2・ｓ以下となることを特徴とするマットレス換気システム。
【請求項１４】
上面で使用者を支持する前記マットレスは、通風性を有するクッション材と、該クッション材を被覆するクッション材カバーを有し、
該クッション材カバーの上面の少なくとも一部の通気度が、該クッション材カバーの側面の通気度よりも高いことを特徴とする請求項１から請求項１２の何れかに記載のマットレス換気システム。
【請求項１５】
マットレス内に風を生じさせる風生成装置の風量の制御方法であって、
前記マットレスの使用者の睡眠深度の情報を取得する睡眠情報取得ステップと、
前記マットレスの温度および湿度の情報を取得する温湿度情報取得ステップと、
前記睡眠深度、前記温度、および前記湿度に基づいて前記風量を制御する制御ステップと、を含むことを特徴とする制御方法。
【請求項１６】
上面で使用者を支持するマットレスと、
前記マットレスの温度および湿度の情報を取得する温湿度情報取得部と、
前記マットレス内に風を生じさせる風生成部と、
前記風生成部の風量を制御する風量制御部とを備え、
前記マットレスは、通風性を有するクッション材と、該クッション材を被覆するクッション材カバーを含み、
該クッション材カバーの上面の少なくとも一部の通気度が、該クッション材カバーの側面の通気度よりも高いことを特徴とするマットレス換気システム。
【発明の詳細な説明】
【技術分野】
【０００１】
本発明は、マットレス換気システムおよび風量の制御方法に関する。
【背景技術】
【０００２】
理想的なマットレスに求められる７大要素として、（１）適度な保温性があること（暖かさを調整しやすいこと）、（２）適度な透湿性があること（汗をかいても蒸れないこと）、（３）適度な反発力があること（寝返り性がよいこと）、（４）体圧分散性がよいこと（適度な柔らかさがあること）、（５）アレルゲンが少ないこと（ダニ等が繁殖しにくいこと）、（６）クリーニングしやすいこと（水に強く乾燥が速いこと）、および（７）環境にやさしいこと（リサイクルしやすい素材であること）が挙げられる。
【０００３】
前記７大要素を高次元で満足できるマットレス用クッション材としては、例えば、特許文献１に記載されたフィラメント３次元結合体が知られている。特許文献１によれば、水平に配置された複数のノズルから溶融状態のポリエチレン樹脂を鉛直方向下向きに押し出した後、直径が１mm前後の溶融フィラメントを冷却水中に落下させて、水の浮力で溶融フィラメントのループを形成させると同時に、複数の溶融フィラメントどうしを３次元的に融着結合させることで、空隙率が９０％を超える極めて風通しのよいフィラメント３次元結合体を製造することが開示されている。
【０００４】
フィラメント３次元結合体（すなわちマットレス用クッション材）は、その上面に季節に応じて最適な保温性を有するクッション材カバー（あるいはマットレスパッド）を載せて、マットレスとして使用される。ところが、風通しのよいフィラメント３次元結合体をクッションとして用いたマットレスであっても、その使用者が寝室内の温度と湿度が高い時に蒸し暑さを感じて、夜中に目が覚める（中途覚醒する）といった問題があった。
【０００５】
この問題は、深い眠り（ノンレム睡眠）に入る際に、深部体温を下げるために多量の発汗が行なわれる生理現象に起因している。特に、入眠直後の最初のノンレム睡眠への移行時において発汗量は最も多く、深部体温が十分に下がって睡眠時の深さが深くなるほど質の高い睡眠が得られるが、発汗により寝床内の湿度が高くなると汗が蒸発しにくくなると、深い眠りに入ることができなかったり、中途覚醒するようになる。
【０００６】
この問題の解消方法として、綿などの吸湿性のよい中材を用いた掛布団と敷布団（マットレスパッド）を用いることにより、発汗により発生した水蒸気を掛布団と敷布団の中材で吸収し、寝床内の湿度が過度に高まらないようにする方法が考えられる。しかしこの場合、中材の吸湿性を回復させるためには、頻繁に天日干しをしなければならないという煩わしさや、ダニが繁殖しやすいといった欠点があった。
【０００７】
また、他の方法として、例えば特許文献２には、入眠直後の発汗量が多い時間帯のみ、空調機で寝室内の温度を下げて蒸し暑さを感じさせない方法が記載されている。更に他の方法として、例えば特許文献３には、衣服内に発汗を検知するセンサを設け、発汗量を測定することにより入眠を判定し、寝冷えを防止するために入眠後の室内温度を高くするように制御することが記載されている。更に他の方法として、例えば特許文献４には、体動センサを用いて睡眠状態を判定し、快眠と寝覚めを良くするために、睡眠深度が深い時に布団の温度が低く、睡眠深度が浅い時に布団の温度が高くなるように制御することが記載されている。
【先行技術文献】
【特許文献】
【０００８】
【特許文献１】国際公開第２０１７／１２２３７０号
【特許文献２】特開平７−７１８０４号公報
【特許文献３】特開２００１−７８９６６号公報
【特許文献４】特開２０１７−２１１号公報
【発明の概要】
【発明が解決しようとする課題】
【０００９】
しかしながら、特許文献２に記載された方法では、空調機の温度制御プログラムを予め作成する必要があり、作成したプログラム（予定した睡眠深度変化のタイミング）に対して実際の睡眠深度変化のタイミングがずれた場合には効果が得られないといった課題や、睡眠深度変化のタイミングが互いに異なる複数の人が一つの同じ部屋で就寝する場合には、全ての人に快適な温湿度環境を提供できないといった課題がある。
【００１０】
特許文献３に記載された方法では、発汗センサを衣服に付けるのが煩わしいといった課題がある。また更に、入眠直後に睡眠深度が深くなっていく過程において、多量の発汗が生じた時に蒸し暑さを感じるといった課題がある。
【００１１】
特許文献４に記載された方法では、睡眠深度が浅いと布団内の温度が高く制御される。そのため、入眠直後に睡眠深度が深くなっていく過程の初期（睡眠深度が浅い時期）において、多量の発汗が生じた時に蒸し暑さを感じるといった課題や、布団内の温度調整が不要な条件下（布団内の温度や湿度が所定範囲内の時など）において送風が止まった際に、発汗により衣服や寝具に吸着された水分が拡散せず、蒸し暑さを感じるといった課題がある。
【００１２】
更に、特許文献２および３に記載されたものは、室内の温度や湿度を睡眠に適するように調節するものであって、人体を被う寝具自体の状態を調節すると言う考えはない。これに対して、特許文献４に記載されたものは、寝具自体の温度や湿度を睡眠状態に適するように調節するものである点で特許文献２および３に記載されたものとは異なる。しかしながら特許文献４に記載されたものも、人体に最も近い外部環境を睡眠状態に適するように温度、湿度を強制的に設定するものであって、人体自体が睡眠状態に応じて発生する熱、水分を利用して寝具の状態を睡眠に適するように寝具内の通風を制御すると言う考えがなかった。
【００１３】
また、一般的な寝具（布団や敷布団あるいはマットレス）においては、ある程度の保温性を確保するために通風性が低くされている（風通しが良くない）ため、送風口から近い場所と送風口から遠い場所では温湿度差が生じやすくなり、寝床内の温度や湿度を均一に調整することが難しいといった課題があった。逆に、風通しを高めようとすれば、保温性が損なわれ、風が直接身体に当たると起床時にだるさを感じるといった課題があった。さらには、睡眠深度が深くなる過程、すなわち深部体温を下げる過程において、単に寝床内の温度を下げる方法では、汗をかかなくても体温が下がるため、人の持つ生理的な機能を弱めてしまう可能性もあった。また、マットレス内に風を生じさせるシステムにおいて、睡眠深度に加えて温度と湿度の両方を考慮して風量制御を行う発想はこれまでに無く、特に風量制御については改善の余地がある。
【００１４】
本発明は上記課題に鑑み、人体自体が睡眠状態に応じて発生する熱、水分を利用して寝具の状態を睡眠に適するように寝具内の通風を適切に制御することが可能となるマットレス換気システムおよび風量の制御方法の提供を目的とする。
【課題を解決するための手段】
【００１５】
本発明に係るマットレス換気システムは、マットレス内に生じさせる風により前記マットレスの状態を制御するマットレス換気システムであって、前記マットレスの使用者の睡眠深度の情報を取得する睡眠情報取得部と、前記マットレス内の風量を制御する風量制御部とを設け、前記風量制御部は、前記睡眠深度が深くなる期間において、当該睡眠深度が浅くなる期間に比して前記風量を多くする構成とする。
【００１６】
また上記構成としてより具体的には、前記使用者の周辺の湿度を反映する前記マットレスの少なくとも湿度情報を取得するマットレス情報取得部を設け、前記風量制御部は、少なくとも前記湿度情報に基づいて、前記風量を制御する構成としてもよい。また上記構成としてより具体的には、前記マットレス情報取得部は、前記マットレスの温度情報をも取得し、前記風量制御部は、前記湿度情報および前記温度情報に基づいて、前記風量を制御する構成としてもよい。また上記構成としてより具体的には、前記マットレス情報取得部は、前記使用者の体表面に近接する前記マットレス上面部付近に設けたセンサーを用いて、前記湿度情報および前記温度情報の少なくとも一方を取得する構成としてもよい。
【００１７】
また上記構成としてより具体的には、前記風量制御部は、前記温度情報および前記湿度情報をパラメータとする算出式を用いた算出結果に基づいて前記風量を制御するものであって、前記算出式は、前記温度が高いほど前記風量が多くなり、かつ、前記湿度が高いほど前記風量が多くなるように設定されており、前記睡眠深度が既定の条件を満たしたときに更新される構成としてもよい。本構成によれば、温度および湿度をバランス良く考慮した風量制御の実現が容易となる。
【００１８】
また上記構成としてより具体的には、前記風量制御部は、前記睡眠深度の各ピーク時の近傍のタイミングそれぞれを認識し、前記タイミングそれぞれが到来する度に、前記算出式を更新する構成としてもよい。本構成によれば、多汗期と少汗期のそれぞれに適応した算出式を用いてより理想的な風量の制御が容易となる。
【００１９】
また上記構成としてより具体的には、前記睡眠情報取得部は、前記使用者の体動を検知する体動検知センサを含み、該体動検知センサの検知結果に基づいて前記睡眠深度の情報を取得する構成としてもよい。
【００２０】
また上記構成としてより具体的には、前記マットレス内に風を生じさせる風生成部を備え、前記風生成部は、略身長方向へ伸びるとともに複数の通風孔を有する導風管を含み、該導風管内への空気の送出または該導風管内からの空気の吸引によって前記風を生じさせるものであり、前記通風孔は、前記脚部対応部よりも前記胴部対応部の方が前記風量が多くなるように形成された構成としてもよい。本構成によれば、使用者の発汗量が比較的少ないと見込まれる脚部対応部側よりも、使用者の発汗量が比較的多いと見込まれる胴部対応部側において風量が多くなり、効率の良い換気が可能となる。
【００２１】
また上記構成としてより具体的には、前記通風孔は、前記導風管の伸びる方向に沿って並ぶように配置されており、前記脚部対応部に対応する部分よりも前記胴部対応部に対応する部分の方が、間隔が狭くなるように配置された構成としてもよい。
【００２２】
また上記構成としてより具体的には、前記マットレス情報取得部は、複数の温湿度センサを含み、該複数の温湿度センサそれぞれによって検知される温度および湿度のうち最も高い温度および湿度の情報を、前記風量の制御に用いられる情報として取得する構成としてもよい。本構成によれば、使用者（就寝者）が寝返り等で移動しても、使用者の体温や発汗の影響を最も強く受ける温湿度センサの温度情報と湿度情報を用いて風量を制御できるので、より使用者の体感に近い温度および湿度での風量制御が可能となる。
【００２３】
また上記構成としてより具体的には、前記風生成部における風を生じさせる動作が、断続的に行われる構成としてもよい。本構成によれば、一時的に速い風の流れを作ることができるので、衣服やクッション材カバー内で保持された水分の拡散効果を高めることができる。特に、衣服やクッション材カバーに一旦保持された水分は拡散しにくくなるが、このようにすることで単位時間あたりの風量を過度に多くすることなく、短時間の速い風によって水蒸気の拡散力が高まるので、汗が速やかに拡散され、寝床内の温湿度が過度に上昇することを抑え、快適な寝床内湿度を保つことができる。
【００２４】
また上記構成としてより具体的には、前記マットレス情報取得部は、前記風を生じさせる動作が停止した時の前記温度情報および前記湿度情報を取得する構成としてもよい。本構成によれば、温度や湿度の検知精度に対する風の影響を抑え、極力精度の高い温度および湿度の情報を取得することが容易となる。
【００２５】
また上記構成としてより具体的には、前記マットレスを有するマットレス換気システムであって、前記マットレスは、通風性を有するクッション材と、該クッション材の少なくとも上面に設けられるクッション材カバーを含み、該クッション材カバーは、ＪＩＳ Ｌ １０９６−１９９９ ８.２７．１ Ａ法に準じた通気性測定方法により測定される通気度が１０cm3／cm2・ｓ以上であって２００cm3／cm2・ｓ以下となる構成としてもよい。本構成によれば、適度な通気性を有するクッション材カバーにより水蒸気の拡散性を損なうことなく風速が緩和され、皮膚表面において風速の速い部位で感じる温湿度感と、風速の遅い部位で感じる温湿度感との差を少なくすることができる。
【００２６】
また上記構成としてより具体的には、上面で使用者を支持する前記マットレスは、通風性を有するクッション材と、該クッション材を被覆するクッション材カバーを有し、該クッション材カバーの上面の少なくとも一部の通気度が、該クッション材カバーの側面の通気度よりも高い構成としてもよい。本構成によれば、クッション材カバーの上面の通気度が高いことから、使用者の発汗による水蒸気がマットレス内部に速やかに拡散されると同時に、使用者を支持するクッション材カバー上面近傍に、風量を過度に高めることなく効率的に風を送ることができる。その結果、使用者と接するクッション材カバー上面近傍に導かれた風（空気流）によって、クッション材カバー内に滞留する水蒸気が拡散され、マットレスの外部へ排出される。
【００２７】
また本発明に係る風量の制御方法は、マットレス内に風を生じさせる風生成装置の風量の制御方法であって、前記マットレスの使用者の睡眠深度の情報を取得する睡眠情報取得ステップと、前記マットレスの温度および湿度の情報を取得する温湿度情報取得ステップと、前記睡眠深度、前記温度、および前記湿度に基づいて前記風量を制御する制御ステップと、を含む制御方法とする。
【００２８】
また本発明に係るマットレス換気システムは、上面で使用者を支持するマットレスと、  前記マットレスの温度および湿度の情報を取得する温湿度情報取得部と、前記マットレス内に風を生じさせる風生成部と、前記風生成部の風量を制御する風量制御部とを備え、前記マットレスは、通風性を有するクッション材と、該クッション材を被覆するクッション材カバーを含み、該クッション材カバーの上面の通気度が、側面の通気度より高い構成とする。
【００２９】
本構成によれば、クッション材カバーの上面の通気度が高いことから、使用者の発汗による水蒸気がマットレス内部に速やかに拡散されると同時に、使用者を支持するクッション材カバー上面近傍に、風量を過度に高めることなく効率的に風を送ることができる。その結果、使用者と接するクッション材カバー上面近傍に導かれた風（空気流）によって、クッション材カバー内に滞留する水蒸気が拡散され、マットレスの外部へ排出される。
【発明の効果】
【００３０】
本発明に係るマットレス換気システムおよび風量の制御方法によれば、人体自体が睡眠状態に応じて発生する熱、水分を利用して寝具の状態を睡眠に適するように寝具内の通風を適切に制御することが可能となる。
【図面の簡単な説明】
【００３１】
【図１】第１実施形態に係るマットレス換気システム１のブロック図である。
【図２】マットレス換気システム１の斜視図である。
【図３】マットレス換気システム１の正面図である。
【図４】マットレス換気システム１の上面図である。
【図５】図１に示す導風管７の斜視図である。
【図６】マットレス換気システム１の使用時における各項目の変化状況に関するグラフである。
【図７】マットレス換気システム１の動作に関するフローチャートである。
【図８】第２実施形態に係るマットレス換気システム１０１のブロック図である。
【図９】マットレス換気システム１０１の上面図である。
【図１０】第３実施形態に係るマットレス換気システム２０１のブロック図である。
【図１１】マットレス換気システム２０１の正面図である。
【図１２】他の形態のマットレス換気システム２０１の斜視図である。
【発明を実施するための形態】
【００３２】
本発明の実施形態について、第１実施形態から第３実施形態のそれぞれを例に挙げ、図面を参照しながら以下に説明する。なお以下の説明における上下、左右、および前後の各方向（互いに直交する方向）は、各図に示すとおりである。
【００３３】
１．第１実施形態
まず第１実施形態について説明する。図１は、第１実施形態に係るマットレス換気システム１のブロック図である。図２は、マットレス換気システム１の斜視図である。図３は、マットレス換気システム１の正面図である。図４は、マットレス換気システム１の上面図である。また図５は、図１に示す導風管７の斜視図である。なお図３においては、本システム１の使用形態を理解容易とするために、本システム１を使用中の使用者、枕、および掛け布団を点線で示している。
【００３４】
図１に示すように、マットレス換気システム１は、寝台部１０、風生成部２０、情報処理部３０を備える。また、図１〜図４に示すように、寝台部１０は、寝台２、下マットレス３、上マットレス４、３個の体動検知センサ５ａ〜５ｃ、３個の温湿度検知センサ６ａ〜６ｃを含む。
【００３５】
寝台２は、各マットレス３、４を下側から支える平台であり、就寝者の頭部側にヘッドボード２ａが設けられている。下マットレス３および上マットレス４は、それぞれ、クッション材と、そのクッション材の上面を含む外周表面全体を覆うクッション材カバーとを有する。寝台２の上面に下マットレス３が設置され、下マットレス３の上面に上マットレス４が設置されている。各マットレス３、４は、上下方向を厚み方向とするマットレスであり、前後方向が長手方向（その上で寝る使用者の身長方向に一致する）となっている。マットレス換気システム１が使用される際には、図３に示すように、使用者は頭を前側に向けるとともに足を後側に向けて、上マットレス４の上に横たわることになる。
【００３６】
各マットレス３、４に使用されるクッション材としては、通風性に優れる部材が好ましく、例えばクッション材を扇風機の前に置いた状態であっても、クッション材を通過した風が風船を飛ばす程度の流速を維持できる程度の通風性を有するのが好ましい。本実施形態のクッション材としては、ポリエチレンを主成分とする熱可塑性樹脂からなる直径が１mm程度の複数の溶融フィラメントどうしを３次元的に融着結合させた、空隙率が９５％のフィラメント３次元結合体を使用している。
【００３７】
各マットレス３、４に使用されるクッション材カバーとしては、通気性を有する生地が好ましく、ＪＩＳ Ｌ １０９６−１９９９ ８.２７．１ Ａ法（フラジール形法）に準じた適切な通気性測定方法により測定される通気度が、１０cm3／cm2・ｓ以上であって２００cm3／cm2・ｓ以下であることが好ましく、２０cm3／cm2・ｓ以上であって１００cm3／cm2・ｓ以下であることがさらに好ましい。なお以下の説明における通気度の具体的な値も、特に断りの無い限り、ＪＩＳ Ｌ １０９６−１９９９ ８.２７．１ Ａ法（フラジール形法）に準じた適切な通気性測定方法により測定される通気度の値を示す。通気度が低すぎると発汗により生成したクッション材カバー内の水蒸気の拡散性が低下し、逆に通気度が高すぎると風の流れが緩和されにくくなり、風生成部２０により発生させた風が就寝者に直接あたる部位において寒く感じる（保温性が低下する）など、皮膚表面において風速の速い部位で感じる温度と風速の遅い部位で感じる温度との差が大きくなり、保温性にムラが発生する。その点、このように適度な通気性を有するクッション材カバーを用いれば、水蒸気の拡散性を損なうことなく風速が緩和され、皮膚表面において風速の速い部位で感じる温湿度感と、風速の遅い部位で感じる温湿度感との差を少なくすることができる。
【００３８】
３個の体動検知センサ５ａ〜５ｃは加速度センサであり、上マットレス４の上面側におけるクッション材とクッション材カバーとの間に左右に並べて配設され、使用者（就寝者）の寝返り等の体動を検知する。本実施形態においては、体動検知センサとして加速度センサを用いているが、体動を検知し得る他のセンサを用いてもよい。なお後述するとおり、体動の検知結果は、使用者の睡眠深度の情報を取得するために用いられる。そのため体動検知センサの代わりに、使用者の睡眠深度が取得可能となる他の手段が採用されても構わない。例えば、赤外線カメラを用いて使用者の動きを検知する手段が採用され、この動きの頻度に基づいて睡眠深度の情報が取得されるようにしてもよい。また、心拍センサを用いて使用者の心拍数を測定する手段が採用され、この心拍数に基づいて睡眠深度の情報が取得されるようにしてもよい。
【００３９】
３個の温湿度検知センサ６ａ〜６ｃは、温度と湿度を検知するためのセンサであり、上マットレス４内の温度および湿度を検知する。本実施形態においては、温湿度検知センサ６ａ〜６ｃは、上マットレス４の上面側におけるクッション材とクッション材カバーとの間に左右に並べて配設されている。このように温湿度検知センサ６ａ〜６ｃは、使用者（就寝者）の発汗や体温の影響による温度や湿度の変化等を感度良く検知できるように、当該影響を極力受けやすい位置に配置されている。これにより、使用者が寝返り等で移動しても、使用者の体温や発汗の影響を最も強く受ける温湿度検知センサの温度情報と湿度情報を用いて風量を制御できるので、より使用者の体感に近い温度および湿度での風量制御が可能となる。
【００４０】
風生成部２０は、導風管７、ファン８、およびファン駆動部９を含む。導風管７は上マットレス４の内部から外部もしくは外部から内部に風を導く略円筒状の部材であり、下マットレス３と上マットレス４の間に設けられている。
【００４１】
図５に示すように、導風管７は頭部通風孔７ａ、連結開口部７ｂ、および中間通風孔７ｃ〜７ｊを有する中空の管であり、フレキシブルなシリコーン樹脂により形成されている。導風管７は、前後方向へ伸びるように配置されており、前端に頭部通風孔７ａを有し、後端に連結開口部７ｂを有している。連結開口部７ｂは、上マットレス４の後端中央部の後側に設置したファン８に連結されている。風生成部２０は、ファン８を用いた導風管７内への空気の送出または導風管７内からの空気の吸引によって、上マットレス４内に風（空気流）を発生させることが出来る。
【００４２】
導風管７は、ファン８に接続された位置から前方に伸びており、上マットレス４の脚部対応部の下側および胴部対応部の下側を順に通って、頭部対応部の近傍にまで及んでいる。なお、脚部対応部は、上マットレス４の上に横たわる使用者の概ね脚部に対応する上マットレス４の部位であり、胴部対応部は、当該使用者の概ね胴部に対応する上マットレス４の部位であり、頭部対応部は、当該使用者の概ね頭部に対応する上マットレス４の部位である。
【００４３】
頭部通風孔７ａは、前方に向けて開口しており、主に頭部対応部の近傍に風を発生させる役割を果たす。中間通風孔７ｃ〜７ｊそれぞれは、何れも同等の大きさの孔であって、導風管７の側部において前後へ並ぶように設けられている。また中間通風孔７ｃ〜７ｊそれぞれは、上マットレス４に効率良く風を生じさせることが出来るように、上方に向けて開口している。中間通風孔７ｃ〜７ｊのうち、中間通風孔７ｃ〜７ｆは胴部対応部に対応する部分に配置されており、中間通風孔７ｈ〜７ｊは脚部対応部に対応する部分に配置されている。中間通風孔７ｃ〜７ｆは主に胴部対応部に風を発生させる役割を果たし、中間通風孔７ｈ〜７ｊは主に脚部対応部に風を発生させる役割を果たす。
【００４４】
なお、中間通風孔７ｈ〜７ｊは、脚部対応部よりも胴部対応部の方が風量が多くなるように形成されている。より具体的に説明すると、中間通風孔７ｃ〜７ｆの配置間隔は中間通風孔７ｈ〜７ｊの配置間隔よりも狭くなっており、胴部対応部の方が、導風管７における単位長さあたりの中間通風孔の個数が多くなっている。これにより、ファン８が風を発生させたとき、脚部対応部よりも胴部対応部の方が風量が多くなる。なお、脚部対応部よりも胴部対応部において風量を多くするための仕組みは上記のものに限られず、例えば、中間通風孔７ｃ〜７ｊの配置間隔を一定とする場合に、中間通風孔７ｃ〜７ｆのサイズを中間通風孔７ｈ〜７ｊよりも大きくする仕組み等が採用され得る。
【００４５】
このように本実施形態では、使用者の発汗量が比較的少ないと見込まれる脚部対応部側よりも、使用者の発汗量が比較的多いと見込まれる胴部対応部側において風量が多くなり、効率の良い換気が実現される。また本実施形態においては、導風管７として直線的な１本の中空管を用いているが、途中で枝分かれしている中空管や複数の中空管を水平方向に固定したものを用いてもよい。
【００４６】
ファン８は直径８cmの回転翼を備える送風機であり、連結開口部７ｂに接続される。ファン駆動部９はファン８を駆動するモーターを有し、風量制御部１６によって決められた回転数（回転速度）でファン８を回転させる。これにより風生成部２０は、当該回転数に応じた風量の風を発生させ、上マットレス４の外部に相当する寝室（寝台部１０を設置した部屋）内の空気を上マットレス４内に送ったり、上マットレス４内の空気を寝室内に排気したりすることが可能である。上マットレス４内に外部の空気を送る場合、および上マットレス４内の空気を外部に排出する場合の何れであっても、上マットレス４内の空気は外部の空気と換気されることになる。
【００４７】
情報処理部３０は、睡眠情報取得部１４、温湿度情報取得部１５、および風量制御部１６を含み、体動検知センサ５ａ〜５ｃおよび温湿度検知センサ６ａ〜６ｃの検知結果に基づいて風生成部２０が発生させる風の強さ（風量）を制御する役割を果たす。なお情報処理部３０は、ＣＰＵ（中央演算処理装置）、ＲＡＭ（ランダムアクセスメモリ）、およびＲＯＭ（リードオンリーメモリ）を備え、ＲＯＭに格納された所定のソフトウェアに従って動作することにより、上記の各機能部（１４〜１６）が実現される。但し当該各機能部（１４〜１６）の具体的形態は特に限定されず、全部又は一部が専用の回路により実現されても構わない。
【００４８】
睡眠情報取得部１４は、体動検知センサ５ａ〜５ｃから所定の時間間隔で送られてくる加速度情報から体動頻度（所定の加速度以上となる体動の単位時間あたりの出現回数）を算出して、風量制御用の睡眠深度の情報を取得する。睡眠深度については、体動頻度が大きいほど睡眠深度が浅いと判断され、体動頻度が小さいほど睡眠深度が深いと判断される。本実施形態では一例として、５段階に分けた体動頻度から５段階の睡眠深度を推定して睡眠深度の情報が得られる。
【００４９】
温湿度情報取得部１５は、３個の温湿度検知センサ６ａ〜６ｃから継続的に送られてくる温度情報および湿度情報の中から、最も高い値の温度情報および湿度情報を識別し、この識別された各情報を風量制御用の温度情報および湿度情報として取得する。このようにして取得される風量制御用の温度情報および湿度情報は、３個の温湿度検知センサ６ａ〜６ｃのうち就寝者の体温や発汗の影響を最も強く受けるものによって検知された情報と言える。そのため本実施形態では、より就寝者の体感に近い温度および湿度の情報に基づいた風量制御が可能である。温湿度情報取得部１５が取得した温度情報および湿度情報は、風量制御部１６へ送られる。
【００５０】
風量制御部１６は、睡眠情報取得部１４および温湿度情報取得部１５から受ける各情報に基づいてファン８の回転数を調節し、これにより風生成部２０が発生させる風の強さ（風量）を制御する。風量制御部１６の動作について、図６を参照しながら以下に説明する。
【００５１】
図６は、マットレス換気システム１の使用時における各項目の変化状況の一例をグラフで示している。なお図６においては、横軸はマットレス換気システム１の使用を開始してからの経過時間を示し、上のグラフから順に縦軸は、使用者の睡眠深度、使用者の発汗量、ファン８の回転数、および使用者の深部体温をそれぞれ示している。
【００５２】
一般的に就寝者の睡眠深度に関しては、睡眠リズムの存在が知られている。この睡眠リズムにおいては、図６のグラフに例示するとおり、睡眠深度が浅い状態から深い状態に変化した後に再び浅い状態に変化するまでの睡眠サイクルが繰返されることになる。また発汗量に関しては、睡眠深度が浅い状態から深い状態に変化する際には発汗量が比較的多くなり、睡眠深度が深い状態から浅い状態に変化する際には発汗量が比較的少なくなる傾向にある。また就寝者の深部体温は、最初に睡眠深度が深くなる時期（下降期）において比較的大きく下降し、その後の安定期に入ると変動は比較的小さくなる。
【００５３】
なお、図６に示すタイミングｔ１は、最初に睡眠深度が最も深くなった時（図６に示す１回目の深い側のピーク時Ｐ１）の近傍のタイミングであり、本実施形態では、ピーク時Ｐ１から睡眠深度が浅くなり始めた頃のタイミングである。図６に示すタイミングｔ２は、タイミングｔ１から睡眠深度が徐々に浅くなり、最も浅くなった時（図６に示す１回目の浅い側のピーク時Ｐ２）の近傍のタイミングであり、本実施形態では、ピーク時Ｐ２から睡眠深度が深くなり始めた頃のタイミングを示す。図６に示すタイミングｔ３は、タイミングｔ２から睡眠深度が徐々に深くなり、最も深くなった時（図６に示す２回目の深い側のピーク時Ｐ３）の近傍のタイミングであり、本実施形態では、ピーク時Ｐ３から睡眠深度が浅くなり始めた頃のタイミングを示す。図６に示すタイミングｔ４は、タイミングｔ３から睡眠深度が徐々に浅くなり、最も浅くなった時（図６に示す２回目の浅い側のピーク時Ｐ４）の近傍のタイミングであり、本実施形態では、ピーク時Ｐ４から睡眠深度が深くなり始めた頃のタイミングを示す。図６に示すタイミングｔ５は、タイミングｔ４から睡眠深度が徐々に深くなり、最も深くなった時（図６に示す３回目の深い側のピーク時Ｐ５）の近傍のタイミングであり、本実施形態では、ピーク時Ｐ５から睡眠深度が浅くなり始めた頃のタイミングを示す。
【００５４】
風量制御部１６は、上記の睡眠リズムおよび発汗量を考慮して風量を制御するようになっている。以下、この点についてより具体的に説明する。
【００５５】
風量制御部１６は、各タイミングｔ１〜ｔ５を所定の規則に従って認識する。すなわち風量制御部１６は、睡眠深度の情報取得の開始後に初めて睡眠深度が前回の段階を下回った（睡眠深度が浅くなった）タイミングを、タイミングｔ１として認識する。また風量制御部１６は、タイミングｔ１の後に初めて睡眠深度が前回の段階を上回った（睡眠深度が深くなった）タイミングを、タイミングｔ２として認識する。また風量制御部１６は、タイミングｔ２の後に初めて睡眠深度が前回の段階を下回ったタイミングを、タイミングｔ３として認識する。また風量制御部１６は、タイミングｔ３の後に初めて睡眠深度が前回の段階を上回ったタイミングを、タイミングｔ４として認識する。また風量制御部１６は、タイミングｔ４の後に初めて睡眠深度が前回の段階を下回ったタイミングを、タイミングｔ５として認識する。
【００５６】
但し、上記の各タイミングを認識するための規則は一例であり、タイミングｔ１はピーク時Ｐ１の近傍のタイミングとなるように、他の規則に従って認識されても良い。また同様に、タイミングｔ２はピーク時Ｐ２の近傍のタイミングとなるように、タイミングｔ３はピーク時Ｐ３の近傍のタイミングとなるように、タイミングｔ４はピーク時Ｐ４の近傍のタイミングとなるように、タイミングｔ５はピーク時Ｐ５の近傍のタイミングとなるように、それぞれ他の規則に従って認識されても良い。なおここでの「近傍」の範囲は、対応するピーク時からの差異が睡眠サイクル（約９０分）の周期の概ね１／４以下となる範囲であることが望ましい。なお、一般的には睡眠サイクルが平均約９０分であることが知られているが、個人差があるので、各人の睡眠サイクルを継続的に計測して、各人の睡眠サイクルに合わせて補正するのが好ましい。
【００５７】
また、入眠時からタイミングｔ１までの期間（以下、「第１多汗期Ｘ１」と称することがある）、タイミングｔ２からタイミングｔ３までの期間（以下、「第２多汗期Ｘ２」と称することがある）、および、タイミングｔ４からタイミングｔ５までの期間（以下、「第３多汗期Ｘ３」と称することがある）は、図６に示すように、使用者の発汗量が多い期間（多汗期）となる。また、タイミングｔ１からタイミングｔ２までの期間（以下、「第１少汗期Ｙ１」と称すことがある）、およびタイミングｔ３からタイミングｔ４までの期間（以下、「第２少汗期Ｙ２」と称することがある）は、図６に示すように、使用者の発汗量が少ない期間（少汗期）となる。
【００５８】
また演算制御部３０には、次の第１式から第６式の各情報が格納されている。
第１式：第１多汗期用ファン回転数Ｎａ（rpm）＝40×（Ｔ−25）＋4×（Ｈ−40）
第２式：第１少汗期用ファン回転数Ｎｂ（rpm）＝10×（Ｔ−25）＋1×（Ｈ−40）
第３式：第２多汗期用ファン回転数Ｎｃ（rpm）＝30×（Ｔ−25）＋3×（Ｈ−40）
第４式：第２少汗期用ファン回転数Ｎｄ（rpm）＝7×（Ｔ−25）＋0.7×（Ｈ−40）
第５式：第３多汗期用ファン回転数Ｎｅ（rpm）＝20×（Ｔ−25）＋2×（Ｈ−40）
第６式：    安定期用ファン回転数Ｎｆ（rpm）＝3×（Ｔ−25）＋0.3×（Ｈ−40）
但し、Ｔは温度（℃）（温湿度情報取得部１５によって取得される風量制御用の温度情報の値）を表し、Ｈは湿度（％）（温湿度情報取得部１５によって取得される風量制御用の湿度情報の値）を表す。
【００５９】
上記の第１式から第６式のそれぞれは、睡眠情報取得部１４および温湿度情報取得部１５から受ける各情報から、適切な風生成部２０の風量（換気量）と相関の高いファン８の回転数を算出するために、予め設定された算出式である。何れの式も、対応する期間における発汗量の傾向等を考慮して設定されており、例えば第１式は、第１多汗期Ｘ１における発汗量の傾向等を考慮して最適な算出式となるように設定されている。また各式の内容から明らかなとおり、第１式から第６式の何れの式も、温度Ｔが高いほど回転数が高く（風量が多く）なり、かつ、湿度Ｈが高いほど回転数が高く（風量が多く）なるように設定されている。
【００６０】
風量制御部１６は、第１多汗期Ｘ１およびこれより前の期間においては、第１式に基づいて第１多汗期用ファン回転数Ｎａを算出し、この算出結果をファン８の回転数として決定する。また風量制御部１６は、第１少汗期Ｙ１においては第２式に基づいて第１少汗期用ファン回転数Ｎｂを算出し、この算出結果をファン８の回転数として決定する。また風量制御部１６は、第２多汗期Ｘ２においては第３式に基づいて第２多汗期用ファン回転数Ｎｃを算出し、この算出結果をファン８の回転数として決定する。また風量制御部１６は、第２少汗期Ｙ２においては第４式に基づいて第２少汗期用ファン回転数Ｎｄを算出し、この算出結果をファン８の回転数として決定する。また風量制御部１６は、第３多汗期Ｘ３においては第５式に基づいて第３多汗期用ファン回転数Ｎｅを算出し、この算出結果をファン８の回転数として決定する。また風量制御部１６は、第３多汗期Ｘ３より後の期間においては第６式に基づいて安定期用ファン回転数Ｎｆを算出し、この算出結果をファン８の回転数として決定する。
【００６１】
風量制御部１６は、上述のとおりファン８の回転数を決定する度に、最新の当該回転数の情報をファン駆動部９へ送出する。ファン駆動部９は、この受取った情報に基づき、最新の当該回転数でファン８を回転させることになる。これにより風生成部２０の風量が適切に制御され、発汗により生成した水蒸気の拡散速度（排気速度）を発汗量に応じて高めることができる。すなわち、風量を大きくすることによりクッション材カバーの生地内部の空気攪拌効果が高まり、クッション材カバー生地の内部空間に滞留する水蒸気（高湿度空気）を速やかに拡散し、上マットレス４の外部に排出できるので、発汗量の多い時間帯であっても寝室内や寝床内の温湿度を過度に下げることなく蒸し暑さを低減できる。
【００６２】
マットレス換気システム１は、空調機を用いることによって、寝室内の温湿度が一定となる条件下（例えば、温度が２０℃であって湿度が４０％）で使用されることが好ましいが、寝室内の温湿度が変化する場合は、寝室内の温湿度に応じてファン回転数を補正することが好ましい。補正方法の一例としては、室内の温湿度を５段階程度に分けて、ユーザーが季節に応じてダイヤル等で選択できるようにする方法や、寝室内の温湿度を測定する温湿度センサの情報を取得して補正する方法が挙げられる。
【００６３】
本実施形態においては、簡単な一次式からなる上記の第１式から第６式の各式を用いて、ファン回転数を温度情報と湿度情報から一義的に算出しているが、これらの算出式は一例を示すものであり、式や係数は風生成部２０の能力やユーザーの代謝量に合わせて設定することが望ましい。また、本実施形態においては、就寝直後（レム睡眠まで）の覚醒時までのファン回転数（風量）を第１多汗期Ｘ１用の第１式を用いて制御しているが、このようにしたのは、就寝直後から上マットレス４内の温湿度が著しく上昇していくことを想定したためである。なお、このように第１多汗期Ｘ１用の第１式を用いる代わりに、この時期専用の制御式を設定してもよい。
【００６４】
また上記実施形態においては、風量制御部１６によって決定された回転数でファン８を一定に回転させるようにしているが、単位時間当たりの風量が変わらないように風速に強弱をつけるようにしてもよく、単位時間当たりの風量が変わらないように風の生成が断続的に行われる（風生成部２０の風を生じさせる動作が断続的に行われる）ようにしてもよい。このようにすれば、一時的に速い風の流れを作ることができるので、衣服やクッション材カバー内で保持された水分の拡散効果を高めることができる。特に、衣服やクッション材カバーに一旦保持された水分は拡散しにくくなるが、このようにすることで単位時間あたりの風量を過度に多くすることなく、短時間の速い風によって水蒸気の拡散力が高まるので、汗が速やかに拡散され、寝床内の温湿度が過度に上昇することを抑え、快適な寝床内湿度を保つことができる。
【００６５】
また、風生成部２０の風を生じさせる動作が断続的に行われるようにする場合、温湿度情報取得部１５は、当該風を生じさせる動作が停止した時の温度および湿度の情報を取得するようにしてもよい。このようにすれば、温度や湿度の検知精度に対する風の影響を抑え、極力精度の高い温度および湿度の情報を取得することが容易となる。
【００６６】
次に、マットレス換気システム１の動作の流れの具体例について、図７に示すフローチャートを参照しながら以下に説明する。
【００６７】
マットレス換気システム１には不図示の電源スイッチが設けられており、使用者等の操作によって電源のオン／オフが切替可能となっている。本システム１は通常、不使用時には省電力等のため電源オフの状態とされ、使用時（使用者の就寝時）には電源オンの操作がなされることになる。
【００６８】
使用者等によって電源オンの操作がなされると（ステップＳ１）、マットレス換気システム１は電源オンの状態へ移行し、睡眠情報取得部１４による睡眠深度の情報取得が開始されるとともに、温湿度情報取得部１５による温度情報と湿度情報の取得が開始される（ステップＳ２）。以降、リアルタイムな睡眠深度の情報、温度情報、および湿度情報が逐次、継続的に取得される。なおマットレス換気システム１は、所定の設定時刻（例えば就寝予定時刻）が到来したとき、或いは、各センサ（５ａ〜５ｃ、６ａ〜６ｃ）の一部または全部の検知結果に基づいて就寝者の存在が検出されたとき等において、自動的に電源オンの状態へ移行するようにしてもよい。
【００６９】
また、マットレス換気システム１が電源オンの状態に移行した直後は、第１式を用いたファン８の駆動が開始される（ステップＳ３）。より具体的に説明すると、風量制御部１６は、最新の温度および湿度の情報が取得される度に、これらの情報と第１式に基づいて最新の第１多汗期用ファン回転数Ｎａを算出する。そしてファン駆動部７は、この第１多汗期用ファン回転数Ｎａで回転するようにファン８を駆動させる。このような第１式を用いたファン８の駆動は、第１少汗期Ｙ１に移行するまで（換言すれば、タイミングｔ１が到来するまで）実行される。
【００７０】
一方、第１少汗期Ｙ１に移行したときには（ステップＳ４のＹｅｓ）、第２式を用いたファン８の駆動が開始される（ステップＳ５）。より具体的に説明すると、風量制御部１６は、最新の温度および湿度の情報が取得される度に、これらの情報と第２式に基づいて最新の第１少汗期用ファン回転数Ｎｂを算出する。そしてファン駆動部７は、この第１少汗期用ファン回転数Ｎｂで回転するようにファン８を駆動させる。このような第２式を用いたファン８の駆動は、第２多汗期Ｘ２に移行するまで（換言すれば、タイミングｔ２が到来するまで）実行される。
【００７１】
一方、第２多汗期Ｘ２に移行したときには（ステップＳ６のＹｅｓ）、第３式を用いたファン８の駆動が開始される（ステップＳ７）。より具体的に説明すると、風量制御部１６は、最新の温度および湿度の情報が取得される度に、これらの情報と第３式に基づいて最新の第２多汗期用ファン回転数Ｎｃを算出する。そしてファン駆動部７は、この第２多汗期用ファン回転数Ｎｃで回転するようにファン８を駆動させる。このような第３式を用いたファン８の駆動は、第２少汗期Ｙ２に移行するまで（換言すれば、タイミングｔ３が到来するまで）実行される。
【００７２】
一方、第２少汗期Ｙ２に移行したときには（ステップＳ８のＹｅｓ）、第４式を用いたファン８の駆動が開始される（ステップＳ９）。より具体的に説明すると、風量制御部１６は、最新の温度および湿度の情報が取得される度に、これらの情報と第４式に基づいて最新の第２少汗期用ファン回転数Ｎｄを算出する。そしてファン駆動部７は、この第２少汗期用ファン回転数Ｎｄで回転するようにファン８を駆動させる。このような第４式を用いたファン８の駆動は、第３多汗期Ｘ３に移行するまで（換言すれば、タイミングｔ４が到来するまで）実行される。
【００７３】
一方、第３多汗期Ｘ３に移行したときには（ステップＳ１０のＹｅｓ）、第５式を用いたファン８の駆動が開始される（ステップＳ１１）。より具体的に説明すると、風量制御部１６は、最新の温度および湿度の情報が取得される度に、これらの情報と第５式に基づいて最新の第３多汗期用ファン回転数Ｎｅを算出する。そしてファン駆動部７は、この第３多汗期用ファン回転数Ｎｅで回転するようにファン８を駆動させる。このような第５式を用いたファン８の駆動は、第３多汗期Ｘ３が終了するまで（換言すれば、タイミングｔ５が到来するまで）実行される。
【００７４】
一方、第３多汗期Ｘ３が終了したときには（ステップＳ１２のＹｅｓ）、第６式を用いたファン８の駆動が開始される（ステップＳ１３）。より具体的に説明すると、風量制御部１６は、最新の温度および湿度の情報が取得される度に、これらの情報と第６式に基づいて最新の安定期用ファン回転数Ｎｆを算出する。そしてファン駆動部７は、この安定期用ファン回転数Ｎｆで回転するようにファン８を駆動させる。
【００７５】
このような第６式を用いたファン８の駆動は、使用者等が電源オフの操作を行うまで実行される。通常は起床時において、使用者によって電源オフの操作が行われることになる。電源オフの操作がなされたときには（ステップＳ１４のＹｅｓ）、ファン８の駆動は停止し、マットレス換気システム１は電源オフの状態に移行する。なおマットレス換気システム１は、所定の設定時刻（例えば起床予定時刻）が到来したとき、或いは、各センサ（５ａ〜５ｃ、６ａ〜６ｃ）の一部または全部の検知結果に基づいて就寝者の不在が検出されたとき等において、自動的に電源オフの状態へ移行するようにしてもよい。
【００７６】
以上に説明したとおり、マットレス換気システム１は、上マットレス４の使用者の睡眠深度の情報を取得する睡眠情報取得部１４と、上マットレス４の温度および湿度の情報を取得する温湿度情報取得部１５と、上マットレス４内に風を生じさせる風生成部２０と、風生成部２０の風量を制御する風量制御部１６とを備える。また風量制御部１６は、前記睡眠深度、前記温度、および前記湿度に基づいて前記風量を制御する。そのためマットレス換気システム１によれば、室内の温度・湿度や入眠後の発汗量が変化しても、風によって発汗による水蒸気を速やかに拡散させ、上マットレス４の外部へ排出させることが可能である。
【００７７】
マットレス換気システム１によれば、上マットレス４内の温度情報と湿度情報とともに、睡眠深度の変化を含む睡眠情報を用いて上マットレス４内の風の風量を制御しているので、睡眠深度が浅い状態から深い状態への移行時など発汗量が多くなるタイミングで、マットレス内に多めの風を送ることができ、発汗により発生した水蒸気を速やかに拡散させて上マットレス４の外に排出させることができる。
【００７８】
その結果、使用者の代謝が低下した時（体からの発熱量が少なくなる時）の保温性を損なうことなく、多量の発汗時においても、過度に湿度が高まって蒸し暑くなるのを防止できる。さらには、個々のマットレスにおいて風量を調整できるので、同じ部屋で複数人が就寝する場合であっても、各人の寝床内の温湿度を適切に調整することができる。ダブルサイズマットレス等、１つのマットレスの上に複数の人が就寝する場合であっても、左右独立した２つのマットレスとして風量を制御することができる。
【００７９】
またマットレス換気システム１によれば、風量制御をより適切に行うことが可能となる。すなわち、上マットレス４内に生じる風は、上マットレス４の温度を下げる効果とともに上マットレス４の湿度を下げる効果も有することから、上マットレス４の温度と湿度の両方の情報に基づいてその風量を制御することにより、より適切な風量を実現することが可能である。また、上マットレス４の最適な温度や湿度は使用者の睡眠深度の状況によって変化するため、当該睡眠深度の情報にも基づいて当該風量を制御することによって、更に適切な風量を実現することが可能である。
【００８０】
なお、風量制御部１６は、前記温度および前記湿度をパラメータとする算出式（第１式から第６式の何れか）を用いた算出結果に基づいて前記風量を制御する。そして前記算出式は、前記温度が高いほど前記風量が多くなり、かつ、前記湿度が高いほど前記風量が多くなるように設定されており、前記睡眠深度が既定の条件を満たしたときに更新されるようになっている。このように温度および湿度をパラメータとする適切な算出式を用いることにより、温度および湿度をバランス良く考慮した風量制御の実現が可能である。
【００８１】
本実施形態では、風量制御部１６は前記睡眠深度の各ピーク時（Ｐ１〜Ｐ５）の近傍のタイミング（ｔ１〜ｔ５）それぞれを認識し、当該タイミングそれぞれが到来する度に、前記算出式を更新するようになっている。これにより、多汗期と少汗期のそれぞれに適応した算出式を用いてより理想的な風量の制御が容易である。
【００８２】
なお、睡眠リズムについては、通常、睡眠深度が浅い状態から深い状態に変化した後に再び浅くなるまでの変化を１サイクルとする睡眠サイクルが繰返されるリズムとなることが分かっている。また更に、この睡眠サイクルは通常、約９０分となることが分かっている。そこでこのことを利用して、上述した各タイミング（ｔ１〜ｔ５）の一部を認識するようにしても良い。例えば、タイミングｔ１については本実施形態と同様にして認識する一方、睡眠サイクルが９０分であって多汗期と少汗期の長さが同等であると仮定して睡眠リズムを推定し、この推定された睡眠リズムに基づいてタイミングｔ２〜ｔ５を認識するようにしても良い。
【００８３】
また、本実施形態における風生成部２０（上マットレス４内に風を生じさせる風生成装置の一形態）の風量の制御方法は、上マットレス４の使用者の睡眠深度の情報を取得する睡眠情報取得ステップと、上マットレス４の温度および湿度の情報を取得する温湿度情報取得ステップと、当該睡眠深度、当該温度、および当該湿度に基づいて当該風量を制御する制御ステップと、を含む方法となっている。
【００８４】
２．第２実施形態
次に、第２実施形態に係るマットレス換気システム１０１について説明する。なお、第２実施形態に係るマットレス換気システム１０１は、導風管、ファン、およびファン駆動部の個数が異なる点を除き、基本的に第１実施形態に係るマットレス換気システム１と同様である。以下の説明では、第１実施形態と異なる点の説明に重点をおき、第１実施形態と共通する点については説明を省略することがある。
【００８５】
図８は本実施形態に係るマットレス換気システム１０１のブロック図であり、図９はマットレス換気システム１０１の上面図である。マットレス換気システム１０１は、第１実施形態においても設けられていた導風管７に加え、導風管７の右側において前後に伸びるように配置された右側導風管１０７、および導風管７の左側において前後に伸びるように配置された左側導風管１１７を有している。これらの導風管１０７、１１７は、導風管７と同等の構成である。
【００８６】
またマットレス換気システム１０１は、右側導風管１０７に対応した右側ファン１０８および右側ファン駆動部１０９を有するとともに、左側導風管１１７に対応した左側ファン１１８および左側ファン駆動部１１９を有する。右側ファン１０８および右側ファン駆動部１０９は、第１実施形態においても設けられていたファン８およびファン駆動部９と同等の機能を有しており、ファン８およびファン駆動部９の右側に配置されている。右側ファン１０８は右側導風管１０７の連結開口部１０７ｂに連結されており、右側ファン駆動部１０９は右側ファン１０８を駆動する役割を果たす。
【００８７】
左側ファン１１８および左側ファン駆動部１１９は、ファン８およびファン駆動部９と同等の機能を有しており、ファン８およびファン駆動部９の左側に配置されている。左側ファン１１８は左側導風管１１７の連結開口部１１７ｂに連結されており、左側ファン駆動部１１９は左側ファン１１８を駆動する役割を果たす。
【００８８】
本実施形態では、ファン８の回転方向は、外部から導風管７内へ向かう風を生じさせる方向へ設定され、右側ファン１０８の回転方向は、右側導風管１０７内から外部へ向かう風を生じさせる方向へ設定され、左側ファン１１８の回転方向は、左側導風管１１７内から外部へ向かう風を生じさせる方向へ設定されている。これにより、図９に破線矢印で示す空気の流れを、効果的に発生させることが可能である。但し各ファンの回転方向は、これとは異なる方向に設定されても構わない。
【００８９】
また風量制御部１６は、各ファン８、１０８、１１８の回転数を決定して、ファン８の回転数の情報をファン駆動部９へ、右側ファン１０８の回転数の情報を右側ファン駆動部１０９へ、左側ファン１１８の回転数の情報を左側ファン駆動部１１９へ、それぞれ送出する。なお各ファン８、１０８、１１８の回転数は、一例として、いずれも第１実施形態において決定されるファン８の回転数の３分の１とすれば良い。
【００９０】
本実施形態では、複数個の導風管が左右に間隔を空けて設けられており、それぞれの導風管を用いて上マットレス４内に風を生じさせることができる。そのため、上マットレス４内により満遍なく風を生じさせ、温度や湿度の偏りを極力抑えることが可能となる。特に左右方向寸法の大きい上マットレス４を使用する場合は、このように複数個の導風管を用いることによる効果は顕著である。なお設けられる導風管の個数は、２個あるいは４個以上としても良い。
【００９１】
３．第３実施形態
次に、第３実施形態に係るマットレス換気システム２０１について説明する。なお、第３実施形態に係るマットレス換気システム２０１は、導風管の有無、ならびにファンおよびファン駆動部の個数が異なる点を除き、基本的に第１実施形態に係るマットレス換気システム１と同様である。以下の説明では、第１実施形態と異なる点の説明に重点をおき、第１実施形態と共通する点については説明を省略することがある。
【００９２】
図１０は本実施形態に係るマットレス換気システム２０１のブロック図であり、図１１はマットレス換気システム２０１の正面図である。マットレス換気システム２０１は、第１実施形態において設けられていた導風管７、ファン８、およびファン駆動部９の代わりに、頭部側ファン２０８ａ、脚部側ファン２０８ｂ、頭部側ファン駆動部２０９ａ、および脚部側ファン駆動部２０９ｂが設けられている。
【００９３】
頭部側ファン２０８ａおよび脚部側ファン２０８ｂは第１実施形態におけるファン８と同等の機能を有し、頭部側ファン駆動部２０９ａおよび脚部側ファン駆動部２０９ｂは第１実施形態におけるファン駆動部９と同等の機能を有する。頭部側ファン２０８ａは頭部側ファン駆動部２０９ａによって、脚部側ファン２０８ｂは脚部側ファン駆動部２０９ｂによって、各々回転駆動される。頭部側ファン２０８ａは、上マットレス４の頭部側（前側）側面に設けられ、脚部側ファン２０８ｂは、上マットレス４の脚部側（後側）側面に設けられている。
【００９４】
頭部側ファン２０８ａの回転方向は、外部から上マットレス４内へ向かう風を生じさせる方向へ設定され、脚部側ファン２０８ｂの回転方向は、上マットレス４内から外部へ向かう風を生じさせる方向へ設定されている。これにより各ファン２０８ａ、２０８ｂの作用によって、上マットレス４内において前側から後側へ向かう風を効果的に生じさせることが可能である。
【００９５】
また風量制御部１６は、各ファン２０８ａ、２０８ｂの回転数を決定して、頭部側ファン２０８ａの回転数の情報を頭部側ファン駆動部２０９ａへ、脚部側ファン２０８ｂの回転数の情報を脚部側ファン駆動部２０９ｂへ、それぞれ送出する。なお各ファン２０８ａ、２０８ｂの回転数は、一例として、いずれも第１実施形態において決定されるファン８の回転数の２分の１とすれば良い。
【００９６】
なお、上マットレス４内の風向きとしては、相対的に発汗量が多くなる胴部対応部から脚部対応部に向けて風を送るのが好ましいが、上マットレス４内を換気できる方法であれば特に制限がなく、例えば脚部対応部から頭部対応部に向けて風を送ってもよい。また、上マットレス４の左右両側面にファンを設けて、上マットレス４の左側および右側の側面の一方から他方へ向かう風を生じさせても良い。
【００９７】
第３実施形態に係るマットレス換気システム２０１の上マットレス４においては、図１２に示すようなクッション材カバー２０５を設けるのが好ましい。図１２は、クッション材カバー２０５を被覆して形成した上マットレス４を用いた場合における、マットレス換気システム２０１の斜視図である。
【００９８】
クッション材カバー２０５は、使用者の上半身と接する第１高通気性生地２０５ａと、使用者の下半身と接する第１高通気性生地２０５ｂと、それら以外の低通気性生地２０５ｃで構成され、上マットレス４の外周面を被覆する。第１および第２高通気性生地２０５ａ、２０５ｂはクッション材カバー２０５の上面の所定部分に、低通気性生地２０５ｃはクッション材カバー２０５の他の部分（側面の部分を含む）に、それぞれ配置されている。第１および第２高通気性生地２０５ａ、２０５ｂの通気度としては、１０cm3／cm2・ｓ以上であって、２００cm3／cm2・ｓ以下であることが好ましく、低通気性生地２０５ｃの通気度としては、０．１cm3／cm2・ｓ以上であって、１０cm3／cm2・ｓ以下であることが好ましい。
【００９９】
第１および第２高通気性生地２０５ａ、２０５ｂの通気度が１０cm3／cm2・ｓ未満であると、生地内部の水蒸気の拡散速度が低くなり、水蒸気が速やかに排出されにくくなる。第１および第２高通気性生地２０５ａ、２０５ｂの通気度が２００cm3／cm2・ｓを超えると、風生成部２０が停止している状態であっても対流が生じやすくなり、保温性が損なわれやすくなる。
【０１００】
低通気性生地２０５ｃの通気度が０．１cm3／cm2・ｓ未満であると、上マットレス４内部に結露が生じやすくなり、カビやダニの繁殖が起こりやすくなる。低通気性生地２０５ｃの通気度が１０cm3／cm2・ｓを超えると、風生成部２０により生じる風が外部に漏れやすく（あるいは外部から流入しやすく）なり、発汗により生じた第１および第２高通気性生地２０５ａ、２０５ｂ近傍の水蒸気を効率的に換気することが難しくなる。
【０１０１】
また、第１高通気性生地２０５ａの通気度としては、５０cm3／cm2・ｓ以上であって、２００cm3／cm2・ｓ以下であることがさらに好ましく、第２高通気性生地２０５ｂの通気度としては、１０cm3／cm2・ｓ以上であって、５０cm3／cm2・ｓ以下であることがさらに好ましい。通気度は、ＪＩＳ  Ｌ  １０９６−１９９９  ８.２７．１  Ａ法（フラジール形法）に準じた適切な通気性測定方法により測定される。
【０１０２】
第１高通気性生地２０５ａが、発汗量が相対的に多くなる使用者の上半身と接する面に設けられていることから、発汗時に水蒸気が上マットレス４内部に速やかに拡散される。
第２高通気性生地２０５ｂは、発汗量が相対的に少ない使用者の下半身と接する面に設けられていることから、発汗時に生成する水蒸気が適度に上マットレス４内部に拡散される。
【０１０３】
低通気性生地２０５ｃは、風生成部２０によって発生する風が上マットレス４の外部に漏れることを防止するので、風生成部２０によって発生する風量を過度に高めることなく、第１高通気性生地２０５ａおよび第２高通気性生地２０５ｂを介して上マットレス４に入ってきた水蒸気を効率的に排出できる。なお、本実施形態において、クッション材カバー２０５の底面を通気度の低い低通気性生地２０５ｃで構成している。しかし、下マットレス３を使用せずに、上マットレス４を通気性の低い板などで構成される寝台２の上に直接設置する場合など、クッション材カバー２０５の底面から風が漏れたり流入する可能性が低い場合においては、底面に通気度の高い生地を用いてもよく、さらには底面を生地で覆わなくてもよい。
【０１０４】
上述したように図１２に示す上マットレス４は、通風性を有するクッション材と、該クッション材を被覆するクッション材カバー２０５を有し、クッション材カバー２０５の上面の少なくとも一部の通気度が、クッション材カバー２０５の側面の通気度よりも高くなっている。このようにクッション材カバーの上面の通気度が高いことから、使用者の発汗による水蒸気が上マットレス４内部に速やかに拡散されると同時に、使用者を支持するクッション材カバー上面近傍に、風量を過度に高めることなく効率的に風を送ることができる。その結果、使用者と接するクッション材カバー上面近傍に導かれた風（空気流）によって、クッション材カバー内に滞留する水蒸気が拡散され、上マットレス４の外部へ排出される。
【０１０５】
４．その他
以上に説明した各実施形態のマットレス換気システムは、下記のとおりの構成とされており、人体自体が睡眠状態に応じて発生する熱、水分を利用して寝具の状態を睡眠に適するように寝具内の通風を適切に制御することが可能となっている。当該マットレス換気システムは、上マットレス４（マットレスの一形態）内に生じさせる風により上マットレス４の状態を制御するシステムであり、上マットレス４の使用者の睡眠深度の情報を取得する睡眠情報取得部１４と、上マットレス４内の風量を制御する風量制御部１６とを設け、風量制御部１６は、前記睡眠深度が深くなる期間において、当該睡眠深度が浅くなる期間に比して前記風量を多くする構成とされている。
【０１０６】
また当該マットレス換気システムは、前記使用者の周辺の湿度を反映する上マットレス４の少なくとも湿度情報を取得する温湿度情報取得部１５（マットレス情報取得部の一形態）を設け、風量制御部１６は、少なくとも前記湿度情報に基づいて、前記風量を制御する構成とされている。また、前記マットレス情報取得部は、上マットレス４の温度情報をも取得し、風量制御部１６は、前記湿度情報および前記温度情報に基づいて、前記風量を制御する。また、前記マットレス情報取得部は、前記使用者の体表面に近接する前記マットレス上面部付近に設けたセンサーを用いて、前記湿度情報および前記温度情報の少なくとも一方を取得する。
【０１０７】
以上、本発明の実施形態について説明したが、本発明の構成は上記実施形態に限られず、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【０１０８】
本発明は、マットレス換気システム等に利用可能である。
【符号の説明】
【０１０９】
１、１０１、２０１      マットレス換気システム
１０                      寝台部
２０                      風生成部
３０                      情報処理部
２                      寝台
３                      下マットレス
４                      上マットレス
５ａ〜５ｃ              体動検知センサ
６ａ〜６ｃ              湿温度検知センサ
７                      導風管
７ａ                    頭部通風孔
７ｂ                    連結開口部
７ｃ〜７ｊ              中間通風孔
８                      ファン
９                      ファン駆動部
１４                      睡眠情報取得部
１５                      温湿度情報取得部（マットレス情報取得部）
１６                      風量制御部
【図１】
2019118627.tif 000003
【図２】
2019118627.tif 000004
【図３】
2019118627.tif 000005
【図４】
2019118627.tif 000006
【図５】
2019118627.tif 000007
【図６】
2019118627.tif 000008
【図７】
2019118627.tif 000009
【図８】
2019118627.tif 000010
【図９】
2019118627.tif 000011
【図１０】
2019118627.tif 000012
【図１１】
2019118627.tif 000013
【図１２】
2019118627.tif 000014